(57)【要約】【課題】  コスト高を招いたり、施工に手間がかかっていた足部の折曲加工を行わずに、屋根材の厚さが異なっていても容易に施工を行うことができる這い樋支持具およびこれを用いた這い樋の取付構造を提供する。【解決手段】  這い樋支持具１は、這い樋掴み部２と、屋根材の下側に差込み取付けされ、前側上方にて這い樋掴み部２が連結される足部３とからなり、這い樋掴み部２は上側掴み部２１と下側掴み部２２の別体で構成され、そのいずれか一方の両端には高さ方向に沿って鋸歯状の複数の凸部２３が形成され、もう一方の両端には凸部２３と係止する爪部２４が形成されており、上側掴み部２１を下側掴み部２２に対してスライドさせることにより、上側掴み部２１の高さ位置を段階的に調整させて係止固定が行われる。【選択図】図１
2009007773.tif 000002
【特許請求の範囲】
【請求項１】
屋根材に設置されて這い樋を支持するための這い樋支持具であって、這い樋を包囲保持する這い樋掴み部と、屋根材の下側に差込み取付けされ、前側上方にて前記這い樋掴み部が連結される足部とからなり、前記這い樋掴み部は上側掴み部と下側掴み部の別体で構成されるとともに、前記上側掴み部と前記下側掴み部のいずれか一方の両端にそれぞれ高さ方向に沿って鋸歯状の複数の凸部が形成され、もう一方の両端にそれぞれ前記凸部と係止する爪部が形成され、前記上側掴み部を前記下側掴み部に対してスライドさせることにより、前記上側掴み部の高さ位置を段階的に調整させて前記上側掴み部と前記下側掴み部とが前記凸部と前記爪部との係止により固定されることを特徴とする這い樋支持具。
【請求項２】
請求項１に記載の這い樋支持具を用いた這い樋の取付構造であって、前記這い樋支持具の足部が屋根材の下側に差込み取付けされ、這い樋掴み部の内側に這い樋を包囲保持するとともに、前記這い樋掴み部の上側掴み部を下側掴み部に対してスライドさせて、屋根材の厚みに応じて前記上側掴み部の高さ位置が調整された状態で、前記上側掴み部と前記下側掴み部とが前記凸部と前記爪部との係止により固定されていることを特徴とする這い樋の取付構造。
【発明の詳細な説明】
【技術分野】
【０００１】
本発明は、這い樋支持具およびこれを用いた這い樋の取付構造に関するものである。
【背景技術】
【０００２】
従来、瓦や金属からなる屋根材を葺いて構成した屋根上を這わせる這い樋を取付ける際には、屋根材に取付けられた複数の這い樋支持具によって這い樋を支持させている。
【０００３】
図５に示されるように、従来の這い樋支持具６は、屋根材５に対応する厚さに折曲加工されて屋根材５を挟持あるいは押圧するように取付けられる足部７と、這い樋４を包囲保持する這い樋掴み部８とを有するものが一般的である（例えば特許文献１）。
【０００４】
しかしながら、図５に示されるような従来の這い樋支持具６は、屋根材５の厚さが異なると足部７に対してそれに合わせて折曲加工を施す必要があった。例えば、製造段階でその折曲加工を行う場合には、あらかじめ屋根材５の厚さ毎に対応する製品を用意しておくことで対応し、また、施工時に足部７の折曲加工を行う場合には、その場で屋根材５の厚さに応じて折曲加工を行って対応していた。
【０００５】
つまり、従来の這い樋支持具６を用いた場合、製造段階で屋根材５の厚さ毎に対応する製品を用意しておかなければならずコスト高を招いたり、あるいは、施工段階においてその場で足部の折曲加工を行うようにすると施工に手間がかかるという問題点を有していた。
【特許文献１】特開２００３−３６２６号公報
【発明の開示】
【発明が解決しようとする課題】
【０００６】
本発明は、以上の通りの現状に鑑みてなされたものであり、コスト高を招いたり、施工に手間がかかっていた足部の折曲加工を行わずに、屋根材の厚さが異なっていても容易に施工を行うことができる這い樋支持具およびこれを用いた這い樋の取付構造を提供することを課題としている。
【課題を解決するための手段】
【０００７】
本発明は、上記の課題を解決するために、第１には、屋根材に設置されて這い樋を支持するための這い樋支持具であって、這い樋を包囲保持する這い樋掴み部と、屋根材の下側に差込み取付けされ、前側上方にて前記這い樋掴み部が連結される足部とからなり、前記這い樋掴み部は上側掴み部と下側掴み部の別体で構成されるとともに、前記上側掴み部と前記下側掴み部のいずれか一方の両端にそれぞれ高さ方向に沿って鋸歯状の複数の凸部が形成され、もう一方の両端にそれぞれ前記凸部と係止する爪部が形成され、前記上側掴み部を前記下側掴み部に対してスライドさせることにより、前記上側掴み部の高さ位置を段階的に調整させて前記上側掴み部と前記下側掴み部とが前記凸部と前記爪部との係止により固定されることを特徴とする。
【０００８】
第２には、第１の這い樋支持具を用いた這い樋の取付構造であって、前記這い樋支持具の足部が屋根材の下側に差込み取付けされ、這い樋掴み部の内側に這い樋を包囲保持するとともに、前記這い樋掴み部の上側掴み部を下側掴み部に対してスライドさせて、屋根材の厚みに応じて前記上側掴み部の高さ位置が調整された状態で、前記上側掴み部と前記下側掴み部とが前記凸部と前記爪部との係止により固定されていることを特徴とする。
【発明の効果】
【０００９】
上記第１の発明によれば、下側掴み部に対して上側掴み部をスライドさせ、爪部と鋸歯状の複数の凸部とを適切な係止位置とすることによって、上側掴み部の高さ位置、すなわち這い樋掴み部の高さ位置を段階的に調整することができるため、足部を折曲加工することなく、屋根材に対し、その厚さの違いを意識することなく容易に這い樋の取付施工を行うことができるようになる。
【００１０】
上記第２の発明によれば、上記第１の発明の這い樋支持具を用いることにより、適切な係止位置で、爪部と鋸歯状の複数の凸部とを係止させることによって、屋根材の厚みが違う場合にも柔軟に対応した這い樋の取付構造が実現できる。
【発明を実施するための最良の形態】
【００１１】
以下、本発明の実施の形態について、図面を用いて詳細に説明する。
【００１２】
図１は、本発明の這い樋支持具の一実施形態を斜め上方から見た斜視図である。図２（ａ）、（ｂ）、（ｃ）は、それぞれ、図１の這い樋支持具を屋根材の厚さが薄い場合の這い樋の取付構造に適用したときの這い樋支持具の正面図、その這い樋支持具を用いた這い樋の取付構造の側面図およびその這い樋の取付構造を斜め上方から見た斜視図である。図３（ａ）、（ｂ）、（ｃ）は、それぞれ、図１の這い樋支持具を屋根材の厚さが厚い場合の這い樋の取付構造に適用したときの這い樋支持具の正面図、その這い樋支持具を用いた這い樋の取付構造の側面図およびその這い樋の取付構造を斜め上方から見た斜視図である。
【００１３】
本実施形態の這い樋支持具１は、図１に示されるように、這い樋掴み部２と、平板状の足部３とからなる。
【００１４】
這い樋掴み部２は、下向き略コ字状の合成樹脂よりなる上側掴み部２１と、上向き略コ字状の合成樹脂よりなる下側掴み部２２との別体で構成されている。上側掴み部２１と下側掴み部２２の内側形状は、包囲保持すべき這い樋４の外周形状に倣った形状に形成されている。そして、下側掴み部２２には、両端にそれぞれ、高さ方向に沿って鋸歯状の４つの凸部２３（２３ａ、２３ｂ、２３ｃ、２３ｄ）が外向きに形成されている。もちろん凸部２３の数は単なる例示であり、必要に応じて所望の数に設定することができ、凸部２３同士間の間隔も施工対象となる屋根材５が取り得る厚みの範囲を考慮して適切な値に設定することができる。一方、上側掴み部２１には、両端にそれぞれ、前記凸部２３と係止する爪部２４が形成されている。この爪部２４の形状は、鋸歯状の凸部２３の各々と相補的な形状であることが好ましい。また、爪部２４が形成されている部分は、上側掴み部２１を下側掴み部２２に対してスライドさせたときに外側に拡がるような適度な弾性を有していることが好ましい。また、下側掴み部２２の下端側の形状は、図１に示すように、足部３との連結が確実かつ容易になるような連結部分として形成されていることが好ましい。
【００１５】
足部３は、屋根材５の下側に差込まれると、這い樋支持具１全体を確実に固定できる長さの細長形状の金属製薄板により形成されている。足部３の前側（差込まれる側と反対）上部には、這い樋掴み部２の下側掴み部２２の下端側の接合部分が例えば接着剤によって固定されている。この足部３は、屋根材５の下側に形成されている屋根材５同士の空隙に差込むだけで容易に配置することができるようになっている。
【００１６】
次に上記の構成を有する本実施形態の這い樋支持具１を用いた取付構造について述べる。
【００１７】
図２は、屋根材５の厚さが薄い場合の這い樋の取付構造Ａ１を示している。この場合、這い樋支持具１は、屋根材５の前面壁５１のすぐ前側に、這い樋掴み部２が這い樋４の長さ方向と直角な位置関係となるように配置される。這い樋支持具１の足部３は屋根材５の前面壁５１の下側から奥の方向に差し込まれている。この例では、屋根材５の厚さが薄いため、這い樋掴み部２が這い樋４を包囲保持し、這い樋４の下面が屋根材５の表面とほぼ当接する状態で、上側掴み部２１の爪部２４が下側掴み部２２の下方位置の凸部２３（２３ｄ）に係止され、這い樋４の取付固定が行われている。
【００１８】
図３は、屋根材５の厚さが厚い場合の這い樋の取付構造Ａ２を示している。この場合も、這い樋支持具１は、屋根材５の前面壁５１のすぐ前側に、這い樋掴み部２が這い樋４の長さ方向と直角な位置関係となるように配置される。這い樋支持具１の足部３は屋根材５の前面壁５１の下側から奥の方向に差し込まれている。この例では、屋根材５の厚さが厚いため、這い樋掴み部２が這い樋４を包囲保持し、這い樋４の下面が屋根材５の表面とほぼ当接する状態で、上側掴み部２１の爪部２４が下側掴み部２２の上方位置の凸部２３（２３ａ）に係止され、這い樋４の取付固定が行われている。この場合には、這い樋４は、上側掴み部２１と屋根材５の表面と下側掴み部２２の一部とで包囲保持されることになる。したがって、這い樋掴み部２の部分では、包囲保持された這い樋４の下面より下方の下側掴み部２２内側部分に隙間が形成された状態となる。また、この場合、這い樋掴み部２の上側掴み部２１の上端の高さ位置は、図２の場合に比べて屋根材５の板厚の差分だけ高い位置となっている。
【００１９】
上記では、屋根材５の厚さが薄い場合の這い樋の取付構造Ａ１と厚い場合の這い樋の取付構造Ａ２の二例を例示したが、本実施形態では、屋根材５の厚さに応じて３または４段階の異なる係止位置で上側掴み部２１と下側掴み部２２の係止を行うこともできる。
【００２０】
また、本実施形態の這い樋支持具１は、図４のようなケースにも適用することができる。図４（ａ）、（ｂ）、（ｃ）は、それぞれ、這い樋４が屋根材５の表面から上方向に間隔をもって配置される場合の這い樋支持具１の正面図、その這い樋支持具１を用いた這い樋の取付構造Ａ３の側面図およびその取付構造Ａ３を斜め上方から見た斜視図である。この場合、這い樋４の支持は実質的に、例えば這い樋４の両端部に設けられた竪樋と軒樋（いずれも不図示）との結合箇所において強固に行われることになる。
【００２１】
次に、本実施形態の這い樋支持具１の施工例を述べる。
【００２２】
まず、這い樋支持具１の平板状の足部３を、這い樋支持具１の設置位置近傍における屋根材５の前面壁５１の適切な位置の下側から奥の方向に挿入し、這い樋掴み部２が屋根材５の前面壁５１のすぐ前側になるように配置する。そして、這い樋掴み部２の上側掴み部２１を外した状態で、下側掴み部２２に這い樋４を嵌め込む。そして、その状態において、下側掴み部２２に対して上側掴み部２１を差し込んで下方にスライドさせて、這い樋４の下面が屋根材５の表面に当接する位置まで移動させ、その当接位置で上側掴み部２１の爪部２４を下側掴み部２２の凸部２３と係止させ、両者を固定する。これにより、施工が終了する。
【００２３】
以上、本発明を一実施形態に基づいて説明したが、本発明は上記実施形態に限定されず、種々の変形、変更が可能である。
【００２４】
例えば、上記実施形態では這い樋掴み部２の形状は、上向き略コ字状の下側掴み部２２と下向き略コ字状である上側掴み部２１とで構成されている角型の這い樋に対応させたものとしたが、本発明によれば、丸型の這い樋に対応させた上向き略Ｕ字状の下側掴み部２２と下向き略Ｕ字状の上側掴み部２１との組み合わせなどとすることもできる。
【００２５】
また、上記実施形態では、足部３の形状を細長形状の金属製薄板としたが、本発明によれば、幅広形状としてもよく、また、変形した細長形状の四角形や二つに分かれてなる細長形状の平板など適宜の変更を行うことができる。
【００２６】
さらに、上記実施形態では、上側掴み部２１に爪部２４を形成し、下側掴み部２２に複数の鋸歯状の凸部２３を形成したが、本発明によれば、両者の配置を逆とすることもできる。
【図面の簡単な説明】
【００２７】
【図１】本発明の這い樋支持具の一実施形態を斜め上方から見た斜視図である。
【図２】（ａ）、（ｂ）、（ｃ）は、それぞれ図１の這い樋支持具を屋根材の厚さが薄い場合の這い樋の取付構造に適用したときの這い樋支持具の正面図、その這い樋支持具を用いた這い樋の取付構造の側面図及びその這い樋の取付構造を斜め上方から見た斜視図である。
【図３】（ａ）、（ｂ）、（ｃ）は、それぞれ図１の這い樋支持具を屋根材の厚さが厚い場合の這い樋の取付構造に適用したときの這い樋支持具の正面図、その這い樋支持具を用いた這い樋の取付構造の側面図及びその這い樋の取付構造を斜め上方から見た斜視図である。
【図４】（ａ）、（ｂ）、（ｃ）は、それぞれ、這い樋が屋根材の表面から上方向に間隔をもって配置される場合の這い樋支持具の正面図、その這い樋支持具を用いた這い樋の取付構造の側面図およびその這い樋の取付構造を斜め上方から見た斜視図である。
【図５】従来の這い樋支持具を用いた這い樋の取付構造の側面図である。
【符号の説明】
【００２８】
１  這い樋支持具
２  這い樋掴み部
２１  上側掴み部
２２  下側掴み部
２３  凸部
２４  爪部
３  足部
４  這い樋
５  屋根材
６  従来の這い樋支持具
７  従来の這い樋支持具の足部
Ａ１〜Ａ３  這い樋の取付構造
【図１】
2009007773.tif 000003
【図２】
2009007773.tif 000004
【図３】
2009007773.tif 000005
【図４】
2009007773.tif 000006
【図５】
2009007773.tif 000007